【手続補正書】
【提出日】平成21年8月28日(2009.8.28)
【手続補正１】
【補正対象書類名】明細書
【補正対象項目名】全文
【補正方法】変更
【補正の内容】
【書類名】  明細書
【発明の名称】  遊技機
【特許請求の範囲】
【請求項１】
第１の可動部材と第２の可動部材とが組み合わされた入賞装置を有する遊技機であって、
前記第１の可動部材は、遊技球を保持するための外周側が開口している保持孔が複数個設けられた回転体によって構成され、
前記第２の可動部材は、回転軸方向に遊技球が通過する通過孔を有する回転体によって構成され、
前記第１の可動部材の所定の保持孔の外周側開口が前記第２の可動部材の通過孔に合致するように構成されており、当該合致したときに所定の保持孔に保持された遊技球が当該保持孔の外周側開口を通って前記通過孔に移動されることで、遊技者に所定の遊技特典を付与するための権利を発生させる条件が達成されることを特徴とする遊技機。
【請求項２】
請求項１に記載の遊技機であって、
前記第１の可動部材よりも上流側の遊技領域には、さらに第３の可動部材が配置されており、
前記第３の可動部材は第３の回転体として構成されるとともに、当該第３の回転体には、遊技球を保持するための球受け部が複数個設けられており、
当該第３の回転体の所定の球受け部に保持された遊技球のみが前記第１の可動部材側に移動可能とされていることを特徴とする遊技機。
【請求項３】
請求項２に記載の遊技機であって、
さらに前記第３の可動部材よりも上流側に遊技球の通路切り替え手段が配置されており、遊技状態に応じ、遊技球が前記第３の可動部材側へ流通する態様と、前記第１の可動部材側へ流通する態様との間で当該遊技球の通路を切り替えることを特徴とする遊技機。
【発明の詳細な説明】
【０００１】
【発明の属する技術分野】
本発明は、入賞装置を有する遊技機に関し、詳しくは遊技球による所定の入賞条件の達成を決定するための経過態様に工夫を講じることで遊技の趣向性を向上した遊技機に関する。
【０００２】
【従来の技術】
遊技機の一例として、所定の態様で駆動される入賞装置を有するパチンコ機の構成が特許文献１（特開平４−３３２５７５号公報）に開示されている。この遊技機における入賞装置では、回転体に設けられた特定球受口および普通球受口のうち、特定球受口を通り抜けた遊技球のみが特定通路に移送されて特別入賞の確度を高める遊技態様が構成される。
【０００３】
ところで、上記のように特定の遊技状態を得るべく、遊技球による所定の入賞条件が達成される過程を楽しむことが可能な入賞装置の構成については、如何に遊技者に対する趣向性を訴求するかが重要である。この点、従来の入賞装置における入賞決定経過とは異なる新たな構成態様の開発を追及する要請が高い。
【０００４】
【特許文献１】
特開平４−３３２５７５号公報
【０００５】
【発明が解決しようとする課題】
本発明は、かかる点に鑑みてなされたものであり、遊技機における所定の入賞条件の達成を決定するため経過を一層趣向性に富んだ態様で遊技者に提示することが可能な遊技機の構成技術を提供することを目的とする。
【０００６】
【課題を解決するための手段】
上記課題を達成するため、各請求項記載の発明が構成される。
本発明によれば、第１の可動部材と第２の可動部材とが組み合わされた入賞装置を有する遊技機が構成される。
【０００７】
本発明における入賞装置においては、第１の可動部材は、遊技球を保持するための外周側が開口している保持孔が複数個設けられた回転体によって構成される。第２の可動部材は、回転軸方向に遊技球が通過する通過孔を有する回転体によって構成される。そして第１の可動部材の所定の保持孔の外周側開口が第２の可動部材の通過孔に合致するように構成されており、当該合致したときに所定の保持孔に保持された遊技球が当該保持孔の外周側開口を通って通過孔に移動されることで、遊技者に所定の遊技特典を付与するための権利を発生させる条件が達成される構成とされる。すなわち、回転する第１の可動部材のどの保持孔に遊技球が保持されるかにより、第２の可動部材側への遊技球の移動の可否が決定されることとなり、入賞の可否を決定する過程につき、視覚上趣向を凝らした態様で遊技者に示すことで、遊技の楽しさを一層向上することに資する。
【０００８】
なお、回転体に設けられた複数の保持孔のうち、第２の可動部材の孔へと保持球を移動可能とする保持孔の設定数としては、入賞条件の達成確率の大小に合わせて適宜設定すればよく、一つないし複数のいずれであってもよい。
【０００９】
また本発明に係る更なる形態によれば、第１の可動部材よりも上流側の遊技領域には、さらに第３の可動部材が配置される。第３の可動部材は第３の回転体として構成されるとともに、当該第３の回転体には、遊技球を保持するための球受け部が複数個設けられている。そして当該第３の回転体の所定の球受け部に保持された遊技球のみが第１の可動部材側に移動可能とされている。この発明によれば、回転する第３の回転体のどの球受け部に遊技球が保持されるかにより、第１の可動部材側への遊技球の移動の可否が決定されることとなり、入賞の可否を決定する過程につき、さらに視覚上趣向を凝らした態様を構成することが可能となり、遊技の楽しさを一層向上することに資する。
【００１０】
なお、第３の回転体に設けられた複数の球受け部のうち、第１の可動部材側へと保持球を移動可能とする球受け部の設定数としては、入賞条件の達成確率の大小に対応させて適宜設定すればよく、一つないし複数のいずれであってもよい。
【００１１】
また本発明に係る更なる形態によれば、さらに第３の可動部材よりも上流側に遊技球の通路切り替え手段が配置される。そして、遊技状態に応じ、遊技球が第３の可動部材側へ流通する態様と、第１の可動部材側へ流通する態様との間で当該遊技球の通路を切り替えるよう構成される。これにより遊技球につき、上記第３の可動部材側へ送られる場合と、第１の可動部材へと直接に送られる場合とを適宜切り替え、遊技状態に応じて入賞の確率を変化させることが可能とされる。なお遊技の趣向性向上の見地より、当該遊技球の通路切り替え手段による通路切り替え箇所を遊技者が視認できるように構成することが好ましい。
【００１２】
さらに、本発明の趣旨により、下記に述べる各種の態様を構成することが可能である。
（態様１）
請求項１に記載の遊技機であって、
前記第１および第２の可動部材をそれぞれ構成する第１および第２の回転体の相対回転数を変化させることにより、前記所定の入賞条件の達成確率が可変とされていることを特徴とする遊技機。
【００１３】
態様１に記載の発明によれば、請求項１に記載の遊技機において、第１および第２の可動部材をそれぞれ構成する第１および第２の回転体の相対回転数を変化させることにより、所定の入賞条件の達成確率が可変となるように構成される。これにより遊技者に有利となるような遊技状態へと至る確率を遊技状況に応じて適宜変化させる等して、遊技の趣向性を一層向上することが可能となる。
【００１４】
（態様２）
態様１または請求項１から３までのいずれかに記載の遊技機であって、
前記第２の可動部材は、前記第１の可動部材から送られた遊技球を一般入賞口および特定入賞口のいずれかに振り分け可能に構成されていることを特徴とする遊技機。
【００１５】
態様２に記載の発明によれば、態様１または請求項１から３までのいずれかに記載の遊技機における第２の可動部材につき、第１の可動部材から送られた遊技球を一般入賞口および特定入賞口のいずれかに振り分け可能に構成される。典型的には、第２の可動部材を回転体として構成するとともに、当該回転体に特定入賞口（例えばＶ入賞口等と称呼される）を形成する。そして第１の可動部材から第２の可動部材へと移動した遊技球が当該特定入賞口に入賞した場合に大当たり状態とするといった遊技形態を採用することが可能である。
【００１６】
【発明の実施の形態】
以下、本発明の実施の形態に係るパチンコ機１０１につき図面を参照しつつ詳細に説明する。このうちパチンコ機１０１の全体構成が図１に示され、パチンコ機１０１における電動役物装置１０５の詳細な構成が図２に示され、さらにパチンコ機１０１の電装システム構成が図３に示される。なおパチンコ機１０１は、本発明における「遊技機」の一例である。図１に示すように、本実施の形態に係るパチンコ機１０１の遊技盤１０３の表面に形成された遊技領域１０４には、電動役物装置１０５、始動口１０７、電動約物装置１０５への入賞口１０９、第３種始動口１１１、大入賞口１１３が、特に番号を付さない誘導釘、風車、一般入賞口といった周知の要素とともに、それぞれ適所に配置されている。すなわち本発明の実施の形態に係るパチンコ機１０１は、いわゆる「第３種」と称呼されるタイプに類別される。なお電動役物装置１０５は、本発明における「入賞装置」に対応する。
【００１７】
始動口１０７には、便宜上特に図示しない始動口センサ（図３において符号１３５で示される）が設定され、当該始動口センサによって始動口１０７に遊技球が入賞したことが検出される。遊技球が始動口１０７に入賞すると、遊技盤１０３の裏面側に配置された賞球装置（図３において符号１３３で示される）から所定数の賞球が払い出される。さらに始動口１０７への入賞に伴い、図２に示す電動役物装置１０５において、開閉羽根１５１が開放動作され、入賞口１０９が開放動作される。また、入賞口１０９から入賞した遊技球が、電動役物装置１０５内でＶ入賞した場合には、いわゆる「大当たり権」が発生し、当該大当たり権の発生中に、第３種始動口１１１に遊技球が入賞した場合には、大当たり状態として大入賞口１１３が開放される。大入賞口１１３の開放は、本実施の形態では、所定時間が経過し、あるいは所定個数の遊技球が入賞するまでを一ラウンドとして、当該ラウンド中継続されることとなる。そしてかかるラウンドが所定回数（例えば１６ラウンド）継続されることとなる。
【００１８】
さらに上記遊技盤１０３の下方には上皿１１５が配置される。上皿１１５の背面側には、例えば遊技球入賞時、あるいは電動役物装置１０５にて各種の特別遊技状態を遂行する際の効果音を生じさせるためのスピーカが配置されている。さらに上皿１１５の下部には、発射ハンドル装置１１７、上皿１１５から送られる遊技球を貯留するための下皿１１９といった周知の要素が適宜配設されている。
【００１９】
電動役物装置１０５は、図２に示すように、遊技球１０２が入賞可能とされた入賞口１０９、当該入賞口１０９を開閉する開閉羽根１５１、入賞口１０９から入賞した遊技球１０２を移送するための第１の遊技球流通路１５５および第２の遊技球流通路１５７、双方の流通路１５５，１５７の下方に連通する中継通路１５８、双方の流通路１５５，１５７の切替えに用いられる通路切替え手段１５３、第１の遊技球流通路１５５に配置された上部ロータ１６１、その下方に配置された下部第１ロータ１６３および下部第２ロータ１６５、Ｖ入賞部１６７および通常入賞部１６９を主体として構成されている。
【００２０】
開閉羽根１５１が開放動作することで入賞口１０９に入賞した遊技球１０２は、通路切替え手段１５３を介して、第１および第２の遊技球流通路１５５，１５７の一方に送られる。図２では、遊技球１０２は第１の流通路１５５に送られるように設定されている。上部ロータ１６１は、本発明における「第３の可動部材」ないし「第３の回転体」に対応する要素であり、図２において符号Ｒ１で示される方向に回転可能に構成されるとともに、当該回転方向に対して等間隔に配列された三つの遊技球保持孔１６１Ａ，１６１Ｂ，１６１Ｃを有する。各保持孔１６１Ａ，１６１Ｂ，１６１Ｃは、上部ロータ１６１の回転に伴って、第１の遊技球流通路１５５に順次臨むように構成される。
【００２１】
このうち保持孔１６１Ａについては、くびれ状の遊技球搬送部１６２が形成されている。上部ロータ１６１がＲ１方向に回転する結果、当該遊技球搬送部１６２が形成されていない保持孔１６１Ｂ，１６１Ｃについては、第１の遊技球流通路１５５から受承した遊技球１０２が全て通常入賞部１６９（上部側の通常入賞部１６９ａ）に送られるよう構成される。一方、遊技球搬送部１６２が形成された保持孔１６１Ａについては、保持された遊技球１０２が当該遊技球搬送部１６２に引っ掛かることで通常入賞部１６９（１６９ａ）に送られるのが規制され、中継通路１５８に移送可能に構成される。
【００２２】
この結果、第１の遊技球流通路１５５に送られた遊技球１０２のうち、保持孔１６１Ｂ，１６１Ｃに保持された遊技球は通常入賞部１６９に入賞し、保持孔１６１Ａに保持された遊技球は、さらに中継通路１５８を経由して下部第１ロータ１６３側へと送られることになる。従って、本実施の形態では、上部ロータ１６１側から下部第１ロータ１６３側へ遊技球１０２が送られる確率は１／３に設定されていることになる。
【００２３】
上記のように上部ロータ１６１の保持孔１６１Ａによって保持された遊技球１０２は、中継通路１５８を経由して下部第１ロータ１６３に送られる。下部第１ロータ１６３は、本発明における「第１の可動部材」ないし「第１の回転体」に対応する要素であり、図２において符号Ｒ２で示される方向に回転可能に構成されるとともに、当該回転方向に対して等間隔に配列された四つの遊技球保持孔１６３Ａ，１６３Ｂ，１６３Ｃ，１６３Ｄを有する。各保持孔１６１Ａ〜１６１Ｄは、下部第１ロータ１６３の回転に伴って、中継通路１５８、後述する下部第２ロータ１６５および通常入賞部１６９（下部側の通常入賞部１６９ｂ）に順次臨むように構成される。
【００２４】
さらに下部第１ロータ１６３のうち、上記中継通路１５８と対向する側には、下部第２ロータ１６５が配置される。下部第２ロータ１６５は、本発明における「第２の可動部材」ないし「第２の回転体」に対応する要素であり、図２において符号Ｒ３で示される方向に回転可能に構成されるとともに、当該回転方向に対して等間隔に配列された二つの遊技球通過孔１６５Ａ，１６５Ｂを有する。各遊技球通過孔１６５Ａ，１６５Ｂは、Ｖ入賞部１６７を構成するとともに、下部第２ロータ１６５の回転に伴って、下部第１ロータ１６３に順次臨むように構成される。なお下部第１ロータ１６３の回転軸と、下部第２ロータ１６５の回転軸とは、相互に直交するように配置されるため、双方のロータ１６３，１６５の回転態様が遊技者に視認容易とされている。
【００２５】
図２に示す状態では、下部第１ロータ１６３と下部第２ロータ１６５とが相対的に回転するのに伴い、下部第１ロータ１６３のうちの一の保持孔（例えば１６３Ｄ）のみが、下部第２ロータ１６５側のＶ入賞部１６７と合致するように構成されている。すなわち下部第１ロータ１６３側から下部第２ロータ１６５のＶ入賞部１６７側への入賞確率は１／４となるように設定されている。なお下部第１ロータ１６３の回転速度と、下部第２ロータ１６５の回転速度とは相互に変更可能に構成されている。従って両者の相対的な回転速度を適宜変化させることにより、上記下部第１ロータ１６３側から下部第２ロータ１６５のＶ入賞部１６７側への入賞確率を変更することが可能である。
【００２６】
本実施の形態に係るパチンコ機１０１の電装システムが図３に模式的に示される。図３に示すように、本実施の形態に係るパチンコ機１０１は、概略的に見て、ＡＣ電源に接続された電源装置１２１に中継基板１２３を介して接続されたメイン制御部１２５を主体として構成される。メイン制御部１２５内には、特に図示しないもののＣＰＵ、メモリ、入力処理回路および出力処理回路が適宜設定されている。さらにメイン制御部１２５には、始動口センサ１３５およびＶ入賞センサ１３７が接続され、各センサ１３５，１３７からの検知信号が適宜入力される。またメイン制御部１２５には、モータ１３９、表示制御部１３１、音制御部１２９、賞球制御部１２７がそれぞれ接続されている。また賞球制御部１２７には更に賞球の払出を実行する賞球装置１３３が接続されている。
【００２７】
モータ１３９は、メイン制御部１２５内に設けられた出力処理回路（特に図示しない）からの駆動制御信号に基づいて適宜通電駆動されることにより、上述のように図２に示す電動役物装置１０５の開閉羽根１５１の開閉駆動制御、および上部ロータ１６１、下部第１ロータ１６３、下部第２ロータ１６５の回転駆動制御を行う。表示制御部１３１は、メイン制御部１２５内に設けられた通信制御回路からの制御信号に基づいて電動役物装置１０５の表示装置（便宜上、特に図示しない）の表示制御を行う。音制御部１２９は、同じくメイン制御部１２５内に設けられた通信制御回路からの制御信号に基づいて上記スピーカの音声出力を制御する。
【００２８】
賞球制御部１２７は、特に図示しないものの内部にＣＰＵおよび入出力ポート等を備え、電源装置１２１から電源供給を受けて駆動されるとともに、始動口センサ１３５やＶ入賞センサ１３７からの検出信号を受けたメイン制御部１２５から適宜賞球制御信号を受けて、賞球装置１３３における賞球の払い出し制御を適宜行う。さらにメイン制御部１２５は、パチンコ機１０１を設置した遊技ホールに設けられたホールコンピュータ１４１に接続され、例えば大当たりの回数等といった遊技に関する営業情報を適宜出力する。
【００２９】
本実施の形態に係るパチンコ機１０１は上記のように構成される。次に当該パチンコ機１０１の作用について説明する。図１に示すパチンコ機１０１において、発射ハンドル装置１１７を介し、遊技盤１０３表面の遊技領域１０４に射出された遊技球が始動口１０７のいずれかに入賞すると、当該入賞した遊技球が図３に示す始動口センサ１３５によって検出される。これにより始動口センサ１３５からの検出信号がメイン制御部１２５に送られる。メイン制御部１２５は、賞球制御部１２７に制御信号を出力し、当該賞球制御部１２７は始動口１０７への入賞に応じた数の賞球を賞球装置１３３に払い出させる。またこの賞球払い出し情報はホールコンピュータ１４１に対しても出力される。
【００３０】
さらにメイン制御部１２５は、モータ１３９に制御信号を出力し、図２に示す開閉羽根１５１を開放動作させる。開閉羽根１５１が開放動作することで入賞口１０９が開放されて遊技球１０２の入賞が容易な状態が実現される。一方、開閉羽根１５１が閉鎖動作することで入賞口１０９が閉鎖されて遊技球１０２の入賞が困難な状態が実現される。開閉羽根１５１が開放動作することで開放された入賞口１０９に入賞した遊技球１０２は、通路切替え手段１５３を介し、第１の遊技球流通路１５５へと誘導されつつ上部ロータ１６１の三つの保持孔１６１Ａ〜１６１Ｃのいずれかに保持される。保持孔１６１Ｂ，１６１Ｃのいずれかに保持された遊技球１０２は全て上部側の通常入賞部１６９ａに入賞され、所定数の賞球が払い出される。一方、保持孔１６１Ａに保持された遊技球１０２は、遊技球搬送部１６２を介して通常入賞部１６９（１６９ａ）に入賞されることなく、中継通路１５８に送られる。
【００３１】
中継通路１５８を通じて下部第１ロータ１６３に送られた遊技球１０２は、当該下部第１ロータ１６３の四つの保持孔１６３Ａ〜１６３Ｄのいずれかに保持される。図４に示すように、例えば保持孔１６３Ａに保持された遊技球１０２は、下部第２ロータ１６５に形成されたＶ入賞部１６７と合致することなく、通常入賞部１６９（下部側の通常入賞部１６９ｂ）に入賞することとなる。
【００３２】
一方、図５に示すように、保持孔１６３Ｄに保持された遊技球１０２は、中継通路１５８側から１８０度回転されて下部第２ロータ１６５側に向かう際、当該下部第２ロータ１６５に形成された遊技球通過孔１６５Ｂとして構成されるＶ入賞部１６７と丁度合致するように設定される。この結果、遊技球１０２が下部第１ロータ１６３側から下部第２ロータ１６５側のＶ入賞部１６７に移動可能とされ、これにより大当たり状態が実現される。
【００３３】
上記実施の形態によれば、図２に示す入賞口１０９に入賞した遊技球１０２がＶ入賞部１６７に入賞する確率については、上部ロータ１６１において保持孔１６１Ａに保持されることの確率が１／３であり、さらに図５に示すように、下部第１ロータ１６３において保持孔１６３Ｄに保持されることの確率が１／４であるため、結果として１／１２の確率とされる。
【００３４】
一方、所定の遊技条件下においては、図６に示すように、通路切替え手段１５３を駆動操作し、入賞口１０９に入賞した遊技球１０２につき、第１の遊技球流通路１５５ではなく、第２の遊技球流通路１５７へ送られるように設定される。通路切替え手段１５３の駆動操作については、図３に示すメイン制御部１２５による駆動制御信号に基づき、モータ１３９を介して行なわれる。
【００３５】
この結果、開閉羽根１５１が開放された状態で入賞口１０９に入賞した遊技球１０２は、全て第２の遊技球流通路１５７および中継通路１５８を経由して下部第１ロータ１６３側に送られることとなる。従って上記した上部ロータ１６３における遊技球１０２の振り分けを省略することができ、入賞口１０９に入賞した遊技球１０２のＶ入賞部１６７への入賞確率は、下部第１ロータ１６３による１／４とされ、通常の遊技状態よりも３倍の高確率に設定することが可能となる。この状態は、例えば遊技の最中に「ラッキータイム」等といった特別遊技特典を遊技者に付与する際に活用することができる。
【００３６】
なお上記したように、さらに下部第１ロータ１６３および下部第２ロータ１６５の相対的な回転速度を変化させることにより、下部第１ロータ１６３側から下部第２ロータ１６５のＶ入賞部側への入賞確率を適宜変化させることも可能である。
【００３７】
上記電動役物装置１０５において遊技球１０２がＶ入賞した場合、図１に示す第３種始動口１１１への遊技球の入賞を条件とする大当たり権が発生される。すなわち、電動役物装置１０５でのＶ入賞がなされた場合に、第３種始動口１１１に遊技球が入賞することにより、大当り状態として大入賞口１１３が所定期間（本実施の形態では、所定時間が経過し、あるいは所定個数の遊技球が入賞するまで）開放動作するとともに、かかる開放動作が所定ラウンド（本発明の実施の形態では１６ラウンド）繰り返されることとなる。
【００３８】
本実施の形態に係るパチンコ機１０１では、上部ロータ１６１に対して、互いに可動とされた二つの下部ロータ１６３，１６５を組合せることで、遊技球１０２のＶ入賞の可否を決定するという遊技態様が構成される。これにより、遊技における入賞態様の多様化が可能となり、遊技の趣向性を向上することが可能となった。
【００３９】
【発明の効果】
本発明によれば、遊技機における所定の入賞条件の達成を決定するため経過を一層趣向性に富んだ態様で遊技者に提示することが可能な遊技機の構成技術が提供されることとなった。
【図面の簡単な説明】
【００４０】
【図１】本発明の実施の形態である遊技機における遊技盤の主要部の構成を正面視にて示す。
【図２】本実施の形態における電動役物装置の構成を斜視図として示す。
【図３】本発明の実施の形態に係る遊技機のシステム構成を示すシステムブロック図である。
【図４】図３に示す電動役物装置のうち下部ロータの詳細な構成を示す。
【図５】下部ロータにおいて遊技球がＶ入賞部に入賞した状態を示す。
【図６】電動役物装置において通路切り替え手段を介して遊技球の流通路が切り替えられた状態を示す。
【符号の説明】
【００４１】
１０１  パチンコ機
１０２  遊技球
１０３  遊技盤
１０４  遊技領域
１０５  電動役物装置
１０７  始動口
１０９  入賞口
１１１  第３種始動口
１１３  大入賞口
１１５  上皿
１１７  発射ハンドル装置
１１９  下皿
１２１  電源装置
１２３  中継基板
１２５  メイン制御部
１２７  賞球制御部
１２９  音制御部
１３１  表示制御部
１３３  賞球装置
１３５  始動口センサ
１３７  Ｖ入賞センサ
１３９  モータ
１４１  ホールコンピュータ
１５１  開閉羽根
１５２  表示装置
１５３  通路切替え手段
１５５  第１の遊技球流通路
１５７  第２の遊技球流通路
１５８  中継通路
１６１  上部ロータ（第３の可動部材、第３の回転体）
１６３  下部第１ロータ（第１の可動部材、第１の回転体）
１６５  下部第２ロータ（第２の可動部材、第２の回転体）
１６７  Ｖ入賞部
１６９  通常入賞部